(57)【要約】【課題】この発明は、各コンテンツに対するコピー可能回数や過去のコピー先等を表示させ、ユーザがコンテンツのコピーを行なうに際して必要とする情報を容易に把握できるようにし、ユーザがコピーを行なう際の利便性を向上させるようにした放送受信装置及び放送受信方法を提供することを目的としている。【解決手段】受信したコンテンツを内蔵された記録手段に記録し、記録手段に記録されたコンテンツを、予め設定されたコピー可能回数の範囲内で、指定された所定の記録メディアにコピーさせる放送受信装置である。記録手段に記録されたコンテンツの中の指定されたコンテンツに対して、コピーが行なわれる毎に減算されたコピー可能回数と、過去のコピー先を示す情報とを表示する。【選択図】    図１
2009088907.tif 000002
【特許請求の範囲】
【請求項１】
放送されたコンテンツを受信する受信手段と、
前記受信手段で受信したコンテンツを記録する記録手段と、
前記記録手段に記録されたコンテンツを、そのコンテンツに対して設定されたコピー可能回数の範囲内で、指定された記録メディアにコピーさせるコピー制御手段と、
前記コピー制御手段によってコピーが行なわれるコンテンツに対して設定されたコピー可能回数を減算させる演算制御手段と、
前記記録手段に記録されたコンテンツのリストを表示させることが要求されたとき、リストに表示されているコンテンツに対して設定されたコピー可能回数を合わせて表示させる表示手段とを具備することを特徴とする放送受信装置。
【請求項２】
放送されたコンテンツを受信する受信手段と、
前記受信手段で受信したコンテンツを記録する記録手段と、
前記記録手段に記録されたコンテンツを、そのコンテンツに対して設定されたコピー可能回数の範囲内で、指定された記録メディアにコピーさせるコピー制御手段と、
前記コピー制御手段によってコピーが行なわれるコンテンツに対して設定されたコピー可能回数を減算させる演算制御手段と、
前記コピー制御手段によってコピーが行なわれるコンテンツに対して、そのコピー先を示す情報を格納するコピー先情報格納手段と、
前記記録手段に記録されたコンテンツの中の指定されたコンテンツに対して設定されたコピー可能回数と、前記コピー先情報格納手段に格納された過去のコピー先を示す情報とを表示する表示手段とを具備することを特徴とする放送受信装置。
【請求項３】
前記表示手段は、前記記録手段に記録されたコンテンツの中からコンテンツ情報を表示させるべく所定のコンテンツが指定されたとき、そのコンテンツに対して、コンテンツ情報とともに、コピー可能回数及び過去のコピー先を表示させることを特徴とする請求項２記載の放送受信装置。
【請求項４】
前記表示手段は、前記記録手段に記録されたコンテンツの中から所定のコンテンツのコピーが要求されたとき、そのコンテンツに対してコピー可能回数及び過去のコピー先を表示させることを特徴とする請求項２記載の放送受信装置。
【請求項５】
前記表示手段は、前記記録手段に記録されたコンテンツの中からコンテンツ情報を表示させるべく所定のコンテンツが指定され、かつ、そのコンテンツのコピー可能回数が予め設定された所定数以下であるとき、そのコンテンツに対して、コンテンツ情報とともに、コピー可能回数及び過去のコピー先を表示させることを特徴とする請求項２記載の放送受信装置。
【請求項６】
前記表示手段は、コンテンツのコピー可能回数が１であるとき、そのコンテンツに対してコピーが不可である旨の警告メッセージを表示させることを特徴とする請求項２記載の放送受信装置。
【請求項７】
前記コピー先情報格納手段に格納されるコピー先を示す情報は、コピー先となる記録メディアを示す情報と、前記記録媒体からコピー先となる記録メディアにコピーした日時を示す情報とを含むことを特徴とする請求項２記載の放送受信装置。
【請求項８】
前記受信手段で受信したコンテンツは、所定の暗号化処理が施されて前記記録手段に記録され、
前記記録手段から読み出されたコンテンツは、前記所定の暗号化処理が解かれた後、コピー先となる記録メディアに対応した暗号化処理が施されて、当該記録メディアにコピーされることを特徴とする請求項２記載の放送受信装置。
【請求項９】
放送されたコンテンツを受信する工程と、
受信したコンテンツを内蔵された記録手段に記録する工程と、
前記記録手段に記録されたコンテンツを、そのコンテンツに対して予め設定されたコピー可能回数の範囲内で、指定された所定の記録メディアにコピーさせる工程と、
コピーが行なわれるコンテンツに対して設定されたコピー可能回数を減算させる工程と、
コピーが行なわれるコンテンツに対して、そのコピー先を示す情報を格納する工程と、
前記記録手段に記録されたコンテンツの中の指定されたコンテンツに対して、前記コピー可能回数と過去のコピー先を示す情報とを表示させる工程とを具備することを特徴とする放送受信方法。
【発明の詳細な説明】
【技術分野】
【０００１】
この発明は、例えば地上デジタルテレビジョン放送等の受信に好適する放送受信装置及び放送受信方法に係り、特にその受信したコンテンツに対してコピー制限を行なうものの改良に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタル放送にあっては、著作権保護の観点から、放送されるコンテンツに対して、デジタルコピーを全く許可しないコピー禁止の形態、または、１世代限りのデジタルコピーを許可する、いわゆるコピーワンスと称される形態のコピー制限を施すことが多く行なわれている。
【０００４】
このため、デジタル放送を受信するデジタル放送受信装置においては、コピーワンスの制限が施されたコンテンツを受信し、所定の記録メディアに記録した場合、その記録メディアに記録されたコンテンツを、他の記録メディアにデジタルコピーすることは不可能となっている。
【０００５】
なお、コピーワンスの制限が施されたコンテンツは、所定の記録メディアに記録された後、コピーではなくムーブ（移動）によって他の記録メディアに移すことができる。すなわち、記録元となる記録メディアに記録されたコンテンツは、記録先となる記録メディアに書き込まれた後、記録元の記録メディアから再生不可能となるように処理される。
【０００６】
これに対し、現在、例えばＨＤＤ（hard disk drive）等の記録機器を内蔵したタイプのデジタル放送受信装置については、受信して記録機器に記録したコンテンツに対して、その記録機器から他の記録メディアにそれぞれ１世代に限って複数回のデジタルコピーを可能とする方針が提案され、実用化される運びとなっている。
【０００７】
ところで、このように、受信したコンテンツを内蔵された記録機器に記録し、その記録機器から１世代限りで複数回という多様なデジタルコピーを行なえるように構成されたデジタル放送受信装置にあっては、ユーザがコンテンツのコピーを行なう際に必要とする情報を容易に把握できるようにすることが重要である。
【０００８】
特許文献１には、コピー制御情報により録画不可に設定されている番組について録画が要求されたとき、その録画指定された番組の番組名や放送日時等の情報とともに、「指定の番組は録画（コピー）することができません」という旨の警告メッセージを表示させることが開示されている。
【特許文献１】特開２００７−１６５９５０号公報
【発明の開示】
【発明が解決しようとする課題】
【０００９】
そこで、この発明は上記事情を考慮してなされたもので、各コンテンツに対するコピー可能回数や過去のコピー先等を表示させ、ユーザがコンテンツのコピーを行なうに際して必要とする情報を容易に把握できるようにし、ユーザがコピーを行なう際の利便性を向上させるようにした放送受信装置及び放送受信方法を提供することを目的とする。
【課題を解決するための手段】
【００１０】
この発明に係る放送受信装置は、放送されたコンテンツを受信する受信手段と；受信手段で受信したコンテンツを記録する記録手段と；記録手段に記録されたコンテンツを、そのコンテンツに対して設定されたコピー可能回数の範囲内で、指定された記録メディアにコピーさせるコピー制御手段と；コピー制御手段によってコピーが行なわれるコンテンツに対して設定されたコピー可能回数を減算させる演算制御手段と；コピー制御手段によってコピーが行なわれるコンテンツに対して、そのコピー先を示す情報を格納するコピー先情報格納手段と；記録手段に記録されたコンテンツの中の指定されたコンテンツに対して設定されたコピー可能回数と、コピー先情報格納手段に格納された過去のコピー先を示す情報とを表示する表示手段とを備えるようにしたものである。
【００１１】
また、この発明に係る放送受信方法は、放送されたコンテンツを受信する工程と、受信したコンテンツを内蔵された記録手段に記録する工程と、記録手段に記録されたコンテンツを、そのコンテンツに対して予め設定されたコピー可能回数の範囲内で、指定された所定の記録メディアにコピーさせる工程と、コピーが行なわれるコンテンツに対して設定されたコピー可能回数を減算させる工程と、コピーが行なわれるコンテンツに対して、そのコピー先を示す情報を格納する工程と、記録手段に記録されたコンテンツの中の指定されたコンテンツに対して、コピー可能回数と過去のコピー先を示す情報とを表示する工程とを備えるようにしたものである。
【発明の効果】
【００１２】
上記した発明によれば、記録手段に記録されたコンテンツの中の指定されたコンテンツに対して、コピー可能回数と過去のコピー先を示す情報とを表示するようにしたので、ユーザがコンテンツのコピーを行なうに際して必要とする情報を容易に把握することができるようになり、ユーザがコピーを行なう際の利便性を向上させることが可能となる。
【発明を実施するための最良の形態】
【００１３】
以下、この発明の実施の形態について図面を参照して詳細に説明する。図１は、この実施の形態で説明するデジタルテレビジョン放送受信装置１１の概略を示している。すなわち、アンテナ１２で受信したデジタル放送信号は、入力端子１３を介してデジタルチューナ１４に供給されることにより、所望のチャンネルの放送信号が選局される。
【００１４】
このチューナ１４で選局された放送信号は、復号化部１５に供給されてデスクランブル処理が施された後、信号処理部１６に供給されて所定のデジタル信号処理が施される。そして、信号処理部１６から出力されたデジタル信号は、グラフィック処理部１７に供給されて所定のＯＳＤ（on screen display）信号が重畳された後、表示部１８での映像表示に供される。なお、上記信号処理部１６から出力されたデジタル信号は、図示しないスピーカでの音声再生にも供される。
【００１５】
また、上記復号化部１５で復号化処理が施されたコンテンツは、暗号化部１９によりローカル暗号化処理が施された後、デジタルテレビジョン放送受信装置１１に内蔵されたＨＤＤ部２０に供給されてハードディスク２０ａに記録される。この場合、ハードディスク２０ａに記録することを指示されたコンテンツに対しては、コピー可能回数抽出部２１により、復号化部１５で復号化されたデジタル信号からコピー可能回数が抽出される。
【００１６】
そして、上記ハードディスク２０ａに記録されたコンテンツは、ＨＤＤ部２０で読み出され、復号化部２２によりローカル暗号化が解かれた後、上記信号処理部１６に供給されることにより、表示部１８での映像表示に供される。
【００１７】
また、上記ハードディスク２０ａに記録されたコンテンツは、他の記録メディアにコピーされる場合、ＨＤＤ部２０で読み出され、復号化部２２によりローカル暗号化が解かれた後、暗号化部２３によりコピー先の記録メディアに対応した暗号化処理が施された後、所定の記録メディアに記録される。
【００１８】
この実施の形態では、他の記録メディアとして、デジタルテレビジョン放送受信装置１１に対して着脱自在となる、例えばＤＶＤ（digital versatile disk）等の光ディスク２４と、デジタルテレビジョン放送受信装置１１に外部接続される、例えばＨＤＤ等の記録再生装置（図示せず）とを想定している。
【００１９】
暗号化部２３は、入力されたコンテンツに対して、例えば、コピー先の記録メディアとしてＤＶＤが指定される場合は、ＣＰＲＭ（content protection for recordable media）に準拠した暗号化処理を施すように機能し、コピー先の記録メディアとしてＨＤ（high definition）−ＤＶＤが指定される場合は、ＡＡＣＳ（advanced access control system）に準拠した暗号化処理を施すように機能する。
【００２０】
また、コンテンツがＩＥＥＥ（institute of electrical and electronics engineers）１３９４規格に準拠した形態で外部の記録再生装置に伝送される場合、暗号化部２３は、入力されたコンテンツに対して、ＤＴＣＰ（digital transmission content protocol）に準拠した暗号化処理を施すように機能し、Ethernet（登録商標）等のＩＰ（internet protocol）経由で外部の記録再生装置に伝送される場合は、ＤＴＣＰ−ＩＰに準拠した暗号化処理を施すように機能する。
【００２１】
そして、暗号化部２３で暗号化されたコンテンツは、ディスクドライブ部２５に供給されることにより、そこに装着された光ディスク２４に記録される。また、暗号化部２３で暗号化されたコンテンツは、デジタルＩ／Ｆ（interface）２６により、例えばＩＥＥＥ１３９４等のデジタル信号伝送規格に準拠した形態に変換された後、出力端子２７を介して外部の記録再生装置に供給され記録される。
【００２２】
ここで、このデジタルテレビジョン放送受信装置１１は、上記した受信動作や記録再生動作を含むその全ての動作を制御部２８によって統括的に制御されている。この制御部２８は、ＣＰＵ（central processing unit）２８ａを内蔵しており、リモートコントローラ２９から送出され受光部３０で受信した操作情報を受けて、その操作内容が反映されるように各部をそれぞれ制御している。
【００２３】
この場合、制御部２８は、主として、メモリ部２８ｂを利用している。そのメモリ部２８ｂは、ＣＰＵ２８ａが実行する制御プログラムを格納したＲＯＭ（read only memory）と、該ＣＰＵ２７ａに作業エリアを提供するＲＡＭ（random access memory）と、各種の設定情報及び制御情報等が格納される不揮発性メモリとを有している。
【００２４】
また、上記制御部２８は、上記コピー可能回数抽出部２１で抽出されたコピー可能回数を、ハードディスク２０ａに記録されたコンテンツに対応させて格納するコピー可能回数格納部２８ｃを有している。
【００２５】
さらに、上記制御部２８は、ハードディスク２０ａに記録されたコンテンツを他の記録メディアにコピーすることが要求される毎に、ユーザが指定したコピー先となる記録メディアを示す情報を、ハードディスク２０ａに記録されたコンテンツに対応させて順次格納していくコピー先情報格納部２８ｄを有している。
【００２６】
また、上記制御部２８は、ハードディスク２０ａに記録されたコンテンツを他の１つの記録メディアにコピーすることが要求された場合、そのコンテンツのコピー可能回数格納部２８ｃに格納されているコピー可能回数から１を減算し、減算後のコピー可能回数をコピー可能回数格納部２８ｃに再格納する演算制御部２８ｅを有している。
【００２７】
上記のような構成となされたデジタルテレビジョン放送受信装置１１において、以下、その主要な処理動作について説明する。図２は、第１の動作例をまとめたフローチャートを示している。すなわち、処理が開始（ステップＳ２ａ）されると、ステップＳ２ｂで、ユーザにより、ハードディスク２０ａに記録されているコンテンツのリストを表示部１８に表示させることが要求されたか否かが判別される。
【００２８】
そして、リスト表示が要求された場合（ＹＥＳ）、制御部２８は、ステップＳ２ｃで、ハードディスク２０ａに記録されているコンテンツのリストを表示部１８に表示させるとともに、コピー可能回数格納部２８ｃに格納されたコピー可能回数を参照することにより、このリスト上に表示された各コンテンツについて、それぞれそのコピー可能回数を表示させて、処理を終了（ステップＳ２ｄ）する。
【００２９】
図３は、ハードディスク２０ａに記録されているコンテンツのリストを表示した画面の一例を示している。このリストには、ハードディスク２０ａに記録されているコンテンツのタイトルに対応させて、そのコンテンツを受信したチャンネル、そのコンテンツをハードディスク２０ａに記録した記録日時、そのコンテンツをハードディスク２０ａに記録したときの記録モードがそれぞれ表示されるとともに、各コンテンツのコピー可能回数も表示されている。
【００３０】
図２に示した第１の動作例によれば、ユーザは、リストに表示されているコンテンツそれぞれに対して、コピーを行なうに際して必要とする情報として、あと何回コピーすることができるかを示すコピー可能回数を容易に把握することが可能となり、ユーザがコピーを行なう際の利便性を向上させることができるようになる。
【００３１】
図４は、上記デジタルテレビジョン放送受信装置１１における第２の動作例をまとめたフローチャートを示している。すなわち、処理が開始（ステップＳ４ａ）され、ステップＳ４ｂで、ハードディスク２０ａに記録されているコンテンツのリストが表示部１８に表示されている状態において、ステップＳ４ｃで、ユーザにより、リスト表示されている多数のコンテンツの中から、コンテンツ情報を表示させるために１つのコンテンツが指定されたか否かが判別される。
【００３２】
このコンテンツの指定は、例えば図３に示すリストにおいて、ユーザがリモートコントローラ２９の上下キーを操作してリスト上でカーソルを移動させることにより所望のコンテンツを選択し、決定キーを操作して決定することにより行なわれる。
【００３３】
そして、表示されたリストから１つのコンテンツが指定された場合（ＹＥＳ）、制御部２８は、ステップＳ４ｄで、指定されたコンテンツについて、そのコンテンツ情報（番組情報）とともに、コピー可能回数及び過去のコピー先を表示させて、処理を終了（ステップＳ４ｅ）する。
【００３４】
図５は、表示されたリストから指定されたコンテンツについて、そのコンテンツ情報とともに、コピー可能回数及び過去のコピー先とを表示した画面の一例を示している。この表示画面には、コンテンツ情報として、コンテンツのタイトル（番組名：世界自然遺産の旅）と、ハードディスク２０ａへの記録日時（２００７年８月１５日１８：００）と、コンテンツの先頭映像３１とが表示されている。
【００３５】
また、コピー可能回数として、ハードディスク２０ａからのコピーがあと５回可能であることが表示されている。さらに、過去のコピー先として、８月１６日１９：３０にＤＶＤにコピーしたこと、８月１７日２０：１５に他のＤＶＤにコピーしたこと、８月１９日１０：１１にＤＶＨＳ（digital video home system）テープにコピーしたこと、８月２０日１２：４３にＳＤ（secure digital）カードにコピーしたこと等が表示されている。
【００３６】
図４に示した第２の動作例によれば、ユーザが、表示されたリストからコンテンツを指定した場合に、その指定されたコンテンツについて、コンテンツ情報とともに、あと何回コピーすることができるかを示すコピー可能回数と、過去にどの記録メディアにコピーしたかを示すコピー先とを表示させるようにしている。このため、ユーザは、そのコンテンツのコピーを行なう場合に、必要とする情報を容易に取得することができ、ユーザがコピーを行なう際の利便性を向上させることができるようになる。
【００３７】
図６は、上記デジタルテレビジョン放送受信装置１１における第３の動作例をまとめたフローチャートを示している。すなわち、処理が開始（ステップＳ６ａ）され、ステップＳ６ｂで、ハードディスク２０ａに記録されているコンテンツのリストが表示部１８に表示されている状態において、ステップＳ６ｃで、ユーザにより、リスト表示されている多数のコンテンツの中から、１つのコンテンツについてコピーが要求されたか否かが判別される。
【００３８】
このコンテンツのコピー要求は、例えば図３に示すリストにおいて、ユーザがリモートコントローラ２９の上下キーを操作してリスト上でカーソルを移動させることにより所望のコンテンツを選択する。その後、ユーザがリモートコントローラ２９を操作して、コピー先となる記録メディアの設定や記録モードの設定等を行ない、選択されたコンテンツに対するコピーを開始させることにより行なわれる。
【００３９】
そして、表示されたリストから１つのコンテンツについてコピーが要求された場合（ＹＥＳ）、制御部２８は、ステップＳ６ｄで、演算制御部２８ｅにより、コピー要求されたコンテンツのコピー可能回数格納部２８ｃに格納されているコピー可能回数から１を減算し、減算後のコピー可能回数をコピー可能回数格納部２８ｃに再格納する。また、制御部２８は、ステップＳ６ｅで、ユーザが指定したコピー先となる記録メディアを示す情報をコピー先情報格納部２８ｄに格納させる。
【００４０】
その後、制御部２８は、ステップＳ６ｆで、コピー要求されたコンテンツについて、例えば図５に示したように、コンテンツ情報とともに、コピー可能回数格納部２８ｃに格納されたコピー可能回数と、コピー先情報格納部２８ｄに格納された過去のコピー先とを表示させる。そして、制御部２８は、ステップＳ６ｇで、コピー要求されたコンテンツについて、ハードディスク２０ａからコピー先となる記録メディアへのコピーを実行して、処理を終了（ステップＳ６ｈ）する。
【００４１】
図６に示した第３の動作例によれば、ユーザが、表示されたリストからコンテンツを選択してコピーを要求した場合に、そのコピー要求されたコンテンツに対して、コンテンツ情報とともに、コピー実行後におけるコピー可能回数と過去のコピー先とを表示させるようにしている。このため、ユーザは、以後、そのコンテンツのさらなるコピーを行なう際に、必要とする情報を容易に取得することができ、ユーザがコピーを行なう際の利便性を向上させることができるようになる。
【００４２】
図７は、上記デジタルテレビジョン放送受信装置１１における第４の動作例をまとめたフローチャートを示している。すなわち、処理が開始（ステップＳ７ａ）され、ステップＳ７ｂで、ハードディスク２０ａに記録されているコンテンツのリストが表示部１８に表示されている状態において、ステップＳ７ｃで、ユーザにより、リスト表示されている多数のコンテンツの中から、コンテンツ情報を表示させるために１つのコンテンツが指定されたか否かが判別される。
【００４３】
このコンテンツの指定は、先に図４においても説明したように、例えば図３に示すリストにおいて、ユーザがリモートコントローラ２９の上下キーを操作してリスト上でカーソルを移動させることにより所望のコンテンツを選択し、決定キーを操作して決定することにより行なわれる。
【００４４】
そして、表示されたリストから１つのコンテンツが指定された場合（ＹＥＳ）、制御部２８は、ステップＳ７ｄで、指定されたコンテンツについて、コピー可能回数格納部２８ｃに格納されているコピー可能回数が予め設定された所定数以下になっているか否かが判別される。
【００４５】
上記ステップＳ７ｄで、指定されたコンテンツのコピー可能回数が予め設定された所定数を超えている場合（ＮＯ）、制御部２８は、ステップＳ７ｅで、そのコンテンツのコンテンツ情報、つまり、コンテンツのタイトル、ハードディスク２０ａへの記録日時、コンテンツの先頭映像等を表示させて、処理を終了（ステップＳ７ｇ）する。
【００４６】
また、上記ステップＳ７ｄで、指定されたコンテンツのコピー可能回数が予め設定された所定数以下になっている場合（ＹＥＳ）、制御部２８は、ステップＳ７ｆで、そのコンテンツについて、図５に示したように、コンテンツ情報とともに、コピー可能回数及び過去のコピー先を表示させて、処理を終了（ステップＳ７ｇ）する。
【００４７】
図７に示した第４の動作例によれば、ユーザがコンテンツ情報を見るべく、リストから指定したコンテンツについて、そのコピー可能回数が予め設定された所定数以下になっている場合にのみ、そのコンテンツについて、コンテンツ情報とともに、コピー可能回数及び過去のコピー先を表示させるようにしている。
【００４８】
このため、ユーザがリストからコンテンツを指定して、そのコンテンツのコンテンツ情報を見る場合に、全てのコンテンツに対して指定される毎に、コンテンツ情報とともに、コピー可能回数及び過去のコピー先が表示されることが防止され、ユーザにとって取り扱いの便利なものとなる。
【００４９】
なお、上記したステップＳ４ｄ，Ｓ６ｆ及びＳ７ｆにおいて、ユーザがリストから指定した、またはコピーを要求したコンテンツのコピー可能回数が１であるとき、そのコンテンツについては、以後、ハードディスク２０ａから他の記録メディアに移す場合、コピーではなくムーブとなるので、コピーが不可である旨の警告メッセージを、コンテンツ情報、コピー可能回数及び過去のコピー先とともに表示させるようにすれば、ユーザにとっての取り扱いをさらに便利にすることができる。
【００５０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５１】
【図１】この発明の実施の形態を示すもので、デジタルテレビジョン放送受信装置の概略を説明するために示すブロック構成図。
【図２】同実施の形態におけるデジタルテレビジョン放送受信装置で実行される主要な処理の第１の動作例を説明するために示すフローチャート。
【図３】同実施の形態における第１の動作例でデジタルテレビジョン放送受信装置によって表示される画面の一例を説明するために示す図。
【図４】同実施の形態におけるデジタルテレビジョン放送受信装置で実行される主要な処理の第２の動作例を説明するために示すフローチャート。
【図５】同実施の形態における第２の動作例でデジタルテレビジョン放送受信装置によって表示される画面の一例を説明するために示す図。
【図６】同実施の形態におけるデジタルテレビジョン放送受信装置で実行される主要な処理の第３の動作例を説明するために示すフローチャート。
【図７】同実施の形態におけるデジタルテレビジョン放送受信装置で実行される主要な処理の第４の動作例を説明するために示すフローチャート。
【符号の説明】
【００５２】
１１…デジタルテレビジョン放送受信装置、１２…アンテナ、１３…入力端子、１４…デジタルチューナ、１５…復号化部、１６…信号処理部、１７…グラフィック処理部、１８…表示部、１９…暗号化部、２０…ＨＤＤ部、２０ａ…ハードディスク、２１…コピー可能回数抽出部、２２…復号化部、２３…暗号化部、２４…光ディスク、２５…ディスクドライブ部、２６…デジタルＩ／Ｆ、２７…出力端子、２８…制御部、２８ａ…ＣＰＵ、２８ｂ…メモリ部、２８ｃ…コピー可能回数格納部、２８ｄ…コピー先情報格納部、２８ｅ…演算制御部、２９…リモートコントローラ、３０…受光部、３１…先頭映像。
【図１】
2009088907.tif 000003
【図２】
2009088907.tif 000004
【図３】
2009088907.tif 000005
【図４】
2009088907.tif 000006
【図５】
2009088907.tif 000007
【図６】
2009088907.tif 000008
【図７】
2009088907.tif 000009